(57)【要約】【課題】  従来の画像読取装置では、透過原稿用照明ユニットに可視光光源のほか、赤外光光源が必要となり、可視光と赤外光の光路長を補正する手段が必要となり、画像読取装置の構造及び制御が複雑化してしまう。【解決手段】  原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記原稿で反射した光に基づいて前記データ取得手段により取得された画像データから、前記原稿上に形成された非画像情報を検出する検出手段と、前記検出手段により検出された前記非画像情報に基づいて、前記原稿を透過した光に基づいて前記データ取得手段により取得された画像データを補正する補正手段とを備える。【選択図】図１
2005196274.tif 000002
【特許請求の範囲】
【請求項１】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段と、
前記原稿で反射した光に基づいて前記データ取得手段により取得された画像データから、前記原稿上に形成された非画像情報を検出する検出手段と、
前記検出手段により検出された前記非画像情報に基づいて、前記原稿を透過した光に基づいて前記データ取得手段により取得された画像データを補正する補正手段と
を備えることを特徴とする画像読取装置。
【請求項２】
前記非画像情報は、前記原稿に付着したゴミ又はキズの位置及び大きさに関する情報であることを特徴とする請求項１に記載の画像読取装置。
【請求項３】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項１又は２に記載の画像読取装置。
【請求項４】
前記原稿は、フィルム原稿であることを特徴とする請求項１乃至３のいずれかに記載の画像読取装置。
【請求項５】
原稿に対して第１の側に位置する第１の光源と、
前記原稿に対して前記第１の側とは逆の第２の側に位置する第２の光源と、
前記第１の光源から照射され前記原稿を透過した光、及び、前記第２の光源から照射され前記原稿で反射した光を受光し、電子的な画像データを取得するデータ取得手段とを有する画像読取装置と、
前記原稿で反射した光に基づいて前記データ取得手段により取得された画像データから、前記原稿上に形成された非画像情報を検出する検出手段と、
前記検出手段により検出された非画像情報に基づいて、前記原稿を透過した光に基づいて前記データ取得手段により取得された画像データを補正する補正手段とを有する画像処理装置と
を備えることを特徴とする画像処理システム。
【請求項６】
前記非画像情報は、前記原稿に付着したゴミ又はキズの位置及び大きさに関する情報であることを特徴とする請求項５に記載の画像処理システム。
【請求項７】
前記検出手段は、前記原稿で反射した光に基づいて前記データ取得手段により取得された画像データと、前記原稿を透過した光に基づいて前記データ取得手段により取得された画像データとの差分に基づいて、前記原稿上に形成された非画像情報を検出することを特徴とする請求項５又は６に記載の画像処理システム。
【請求項８】
前記原稿は、フィルム原稿であることを特徴とする請求項５乃至７のいずれかに記載の画像処理システム。
【請求項９】
原稿に対して第１の側に位置する第１の光源から光を照射する第１の照射工程と、
前記原稿に対して前記第１の側とは逆の第２の側に位置する第２の光源から光を照射する第２の照射工程と、
前記第１の照射工程において前記第１の光源から照射され前記原稿を透過した光、及び、前記第２の照射工程において前記第２の光源から照射され前記原稿で反射した光を受光し、電子的な画像データを取得するデータ取得工程と、
前記原稿で反射した光に基づいて前記データ取得工程において取得された画像データから、前記原稿上に形成された非画像情報を検出する検出工程と、
前記検出工程において検出された前記非画像情報に基づいて、前記原稿を透過した光に基づいて前記データ取得工程において取得された画像データを補正する補正工程と
を備えることを特徴とする画像処理方法。
【請求項１０】
前記非画像情報は、前記原稿に付着したゴミ又はキズの位置及び大きさに関する情報であることを特徴とする請求項９に記載の画像処理方法。
【請求項１１】
前記検出工程では、前記原稿で反射した光に基づいて前記データ取得工程において取得された画像データと、前記原稿を透過した光に基づいて前記データ取得工程において取得された画像データとの差分に基づいて、前記原稿上に形成された非画像情報が検出されることを特徴とする請求項９又は１０に記載の画像処理方法。
【請求項１２】
前記原稿は、フィルム原稿であることを特徴とする請求項９乃至１１のいずれかに記載の画像処理方法。
【請求項１３】
請求項９乃至請求項１２のいずれかに記載の画像処理方法をコンピュータに実行させるための画像処理プログラム。
【請求項１４】
請求項１３に記載の画像処理プログラムを格納したコンピュータで読取可能な記録媒体。
【発明の詳細な説明】
【技術分野】
【０００１】
この発明は原稿の画像情報を読み取り処理する画像処理技術に関する。
【背景技術】
【０００２】
近年、通信ネットワークの発達、コンピュータの高速化及び記憶媒体の大容量化に伴い、カラー画像情報を取り扱う上で、より高画質化が望まれるようになってきており、中でもスキャナなどで行うカラー画像情報の読み取りを、より正確に高速、高画質で行いたいという要求が高まってきている。
【０００３】
また、写真フィルムの画像読み取りに対する要求も、複数コマを有するスリーブ形態の写真フィルム画像情報をより正確に、かつ高速及び高画質で読み取りたいという要求も高まってきている。より高画質にフィルムを読み取る方法として、フィルム上のゴミ・キズ除去処理を行う提案がなされている（例えば、特許文献１を参照。）。同提案によれば、ゴミ・キズ情報を検出するための赤外LEDと画像情報読取のための光源を有する面光源として構成されており、ゴミ・キズ情報が除去された画像を読み取ることが可能となっている。
【０００４】
同提案による形態を簡単に図２を用いて説明する。図２は、書類原稿等と写真フィルムをそれぞれ読み取り可能とする画像読取装置の一例である。
【０００５】
画像読取装置１には、写真フィルム２０を読み取る際に必要な透過原稿用照明装置２が設置され、画像読取装置制御基板３から制御可能なように透過原稿用光源点灯インバータ４とI/Fケーブル５によって電気的に接続されている。同図では、被読み取り透過原稿を可視光、及び赤外光で照射するための透過原稿用光源６を有していることを示している。また、被読み取り原稿とCCDイメージセンサ７を光学的に結像するために必要な第１反射ミラー８、第２反射ミラー９、第３反射ミラー１０、第４反射ミラー１１、第５反射ミラー１２とレンズ１３、可視光用光路長補正ガラス２１、さらに書類原稿等を照射するための反射原稿用照明光源１４を一体の移動部材とする光学ユニット１５は、画像入力装置制御基板３と信号ケーブル１６に電気的に接続されているモータ１７によって、図示された走査方向矢印の向きに走査しながら画像を読み取る構成となっている。また、可視光用光路長補正ガラス２１は、倒すことによって、光路から外したり、起立させることによって光路上に挿入したりすることが可能となっている。CCDイメージセンサ７と画像入力装置制御基板３は、信号ケーブル１８によって電気的に接続されており、モータ１７によって、光学ユニット１５を副走査方向に動かす。画像読取装置制御基板３は、外部インターフェース１９に接続されており、この外部インターフェース１９を介して外部から画像読取装置制御基板３を制御し、CCDイメージセンサ７により光電変換された電気信号を画像データとして外部へ出力する。
【０００６】
フィルム原稿２０のゴミ・キズ情報を検出するために、透過原稿用光源６から赤外光を照射し、可視光用光路長補正ガラス２１を起こして、フィルム原稿表面で赤外光のピントが合うように光路長を調整する。この状態で、画像装置制御基板３を用いて、光学ユニット１５を制御することで、赤外光を照射してフィルム原稿を走査した画像データが得られる。一般的に、フィルム原稿は赤外光を透過し、ゴミ・キズ領域のみ赤外光を遮蔽するため、画像データ上の輝度を調べることで、ゴミ・キズ情報の検出が可能となる。
【特許文献１】特開平２００１-２９８５９３号公報
【発明の開示】
【発明が解決しようとする課題】
【０００７】
しかしながら、上記の画像読取装置では、透過原稿用照明ユニットに可視光光源のほか、赤外光光源が必要となり、さらに、可視光と赤外光の光路長を補正する手段が必要となり、画像読取装置の構造及び制御が複雑化してしまうという問題がある。
【０００８】
そこで、本発明では、フィルム原稿におけるゴミ・キズ情報を、画像読取装置の構造及び制御に複雑化を伴わずに、検出することを可能とすることを目的とする。
【課題を解決するための手段】
【０００９】
上記課題を解決するための請求項１に記載の画像読取装置によれば、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段と、前記原稿で反射した光に基づいて前記データ取得手段により取得された画像データから、前記原稿上に形成された非画像情報を検出する検出手段と、前記検出手段により検出された前記非画像情報に基づいて、前記原稿を透過した光に基づいて前記データ取得手段により取得された画像データを補正する補正手段とを備えることを特徴とする。
【００１０】
また、請求項５に記載の画像処理システムによれば、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを有する画像読取装置と、前記原稿で反射した光に基づいて前記データ取得手段により取得された画像データから、前記原稿上に形成された非画像情報を検出する検出手段と、前記検出手段により検出された非画像情報に基づいて、前記原稿を透過した光に基づいて前記データ取得手段により取得された画像データを補正する補正手段とを有する画像処理装置とを備えることを特徴とする。
【００１１】
さらに、請求項９に記載の画像処理方法によれば、原稿に対して第１の側に位置する第１の光源から光を照射する第１の照射工程と、前記原稿に対して前記第１の側とは逆の第２の側に位置する第２の光源から光を照射する第２の照射工程と、前記第１の照射工程において前記第１の光源から照射され前記原稿を透過した光、及び、前記第２の照射工程において前記第２の光源から照射され前記原稿で反射した光を受光し、電子的な画像データを取得するデータ取得工程と、前記原稿で反射した光に基づいて前記データ取得工程において取得された画像データから、前記原稿上に形成された非画像情報を検出する検出工程と、前記検出工程において検出された前記非画像情報に基づいて、前記原稿を透過した光に基づいて前記データ取得工程において取得された画像データを補正する補正工程とを備えることを特徴とする。
【発明の効果】
【００１２】
本発明によれば、画像読取装置の構造及び制御の複雑化を伴わずに、原稿におけるゴミ・キズ情報等の非画像情報を検出することが可能となる。
【発明を実施するための最良の形態】
【００１３】
以下、添付図面を参照して本発明の実施の形態を詳細に説明する。
【００１４】
［実施形態１］
図１は、本実施形態に対応する画像処理方法を実現する画像読取装置の構成例である。
【００１５】
画像読取装置１００には、写真フィルム１２０を読み取る際に必要な透過原稿用照明装置１０２が設置され、画像読取装置制御基板１０３から制御可能なように透過原稿用光源点灯インバータ１０４とI/Fケーブル１０５によって電気的に接続されている。同図では、被読み取り透過原稿を可視光のみを照射するための透過原稿用照明光源１０６を有していることを示している。
【００１６】
また、被読み取り原稿とCCDイメージセンサ１０７を光学的に結像するために必要な第１反射ミラー１０８、第２反射ミラー１０９、第３反射ミラー１１０、第４反射ミラー１１１、第５反射ミラー１１２とレンズ１１３、さらに書類原稿等を照射するための反射原稿用照明光源１１４を一体の移動部材とする光学ユニット１１５は、画像読取装置制御基板１３と信号ケーブル１１６に電気的に接続されているモータ１１７によって、図示された走査方向矢印の向きに走査しながら画像を読み取る構成となっている。
【００１７】
CCDイメージセンサ１０７と画像読取装置制御基板１０３は、信号ケーブル１１８によって電気的に接続されており、モータ１１７によって、光学ユニット１１５を副走査方向に動かす。画像読取装置制御基板１０３は、外部インターフェース１１９に接続されており、このインターフェースを介して外部から画像読取装置制御基板を制御し、CCDイメージセンサ１０７により光電変換された電気信号を画像データとして外部へ出力する。
【００１８】
図３は、本実施形態に対応する画像処理方法を実現する画像読取装置のハードウェア構成の一例を示すブロック図である。フィルム原稿を照射するための透過原稿用光源ユニット３０１は、透過原稿用光源である冷陰極蛍光ランプ３０２と、光源からの光をフィルム原稿に垂直に照射するためのライトガイド３０３が含まれる。冷陰極蛍光ランプ３０２は、冷陰極蛍光ランプ点灯回路３０４と接続されており、冷陰極蛍光ランプ点灯回路３０４はシステムコントローラ３０５によって制御される。
【００１９】
光学ユニット３０６は、反射原稿用照明光源である冷陰極蛍光ランプ３０７と、ＣＣＤイメージセンサ３０８が含まれる。冷陰極蛍光ランプ３０７は、冷陰極蛍光ランプ点灯回路３０９と接続されており、冷陰極蛍光ランプ点灯回路３０９はシステムコントローラ３０５によって制御される。ＣＣＤイメージセンサ３０８は、システムコントローラ３０５によって制御され、ＣＣＤイメージセンサ３０８から出力された信号は、アナログ処理回路３１０を通り、Ａ／Ｄ変換回路３１１を通り、画像処理回路３１２を通りバッファ３１３にたまる。システムコントローラ３５、バッファ３１３、インターフェース３１４はバス３１５によって接続されており、相互のデータ通信が可能となっている。また、バッファ３１３にたまった信号は、画像データとしてインターフェース３１４を通り、外部機器３１６に送られる。外部機器３１６には、例えば、汎用パーソナルコンピュータが含まれる。
【００２０】
図４は、フィルム原稿を読み取る際、反射原稿用照明光源１１４を点灯させて、CCDイメージセンサ１０７によって画像データとして取得した場合の一例を示している。
【００２１】
図４（ａ）は、光学ユニット１１５の光源１１４がゴミ・キズ４０１を照射する位置にない場合を示し、図４（ｂ）は、光学ユニット１１５の光源１１４がゴミ・キズ４０１を照射する位置にある場合を示している。
【００２２】
図４（ａ）において、反射原稿用照明光源１１４から放射された光は、フィルム原稿１２０上に入射するが、フィルム原稿は光を透過する性質を有するため、放射された光はそのままフィルム原稿を透過し、CCDイメージセンサ１０７に入射しない。
【００２３】
図４（ｂ）において、反射原稿用照明光源１１４から放射された光は、フィルム原稿１２０表面の、ゴミ・キズ４０１上でする。この反射された光の一部が、CCDイメージセンサ１０７に入射する。このようにして、反射原稿用照明光源１１４を用いてフィルム原稿１２０を読み取った場合の画像データの一例は図５に示すようになる。図５に示すように、反射原稿用照明光源１１４から放射された光のうち、フィルム原稿１２０表面のゴミ・キズ部分に照射された光が反射して、ＣＣＤイメージセンサ１０７へ入射するので、ゴミ・キズ部分のみが有意な画素値が検出され、ゴミ・キズがない他の領域は有意な画素値が検出されない。
【００２４】
図６は、フィルム原稿を読み取る際、透過原稿用照明光源１１４を点灯させ、CCDイメージセンサ１０７によって、画像データとして取得する場合の一例を示している。図６（ａ）は、光学ユニット１１５の光源１１４がゴミ・キズ４０１を照射する位置にない場合を示し、図６（ｂ）は、光学ユニット１１５の光源１１４がゴミ・キズ４０１を照射する位置にある場合を示している。
【００２５】
図６（ａ）において、透過原稿用照明光源１０６から放射された光は、フィルム原稿１２０上に照射されるが、フィルム原稿１２０は光を透過する性質を有するため、光は透過し、CCDイメージセンサ１０７に入射する。
【００２６】
図６（ｂ）において、透過原稿用照明光源１０６から放射された光は、フィルム原稿１２０表面の、ゴミ・キズ４０１上で遮蔽されてしまうため、CCDイメージセンサ１０７には入射しない。
【００２７】
このようにして、透過原稿用照明光源１０６を用いてフィルム原稿１２０を読み取った場合に取得される画像データの一例は、図７に示すようになる。図７に示すように、透過原稿用照明光源１０６から放射された光のうち、フィルム原稿１２０表面のゴミ・キズ部分に照射された光は遮蔽されて、ＣＣＤイメージセンサ１０７へ入射しないので、ゴミ・キズがない他の領域のみが有意な画素値として検出される。よって、画像データにはゴミ・キズ部分が残存している。
【００２８】
図８は、画像読取装置１００から出力される画像データに対し、ゴミ・キズ補正を行うゴミ・キズ除去部８００の構成の一例を示すブロック図である。当該ゴミ・キズ除去部８００は、図３に示す外部機器３１６としてのパーソナルコンピュータにおいて構成されることが好ましいが、画像読取装置１００内に構成されても良い。
【００２９】
以下、本実施形態におけるゴミ・キズ除去処理につき、図８のブロック図及び図１１のフローチャートを参照して説明する。図１１は、本実施形態に対応する、画像データからゴミ・キズ情報を除去する処理の一例に対応するフローチャートである。
【００３０】
まず、ステップＳ１１０１において、画像読取装置１００から反射原稿用照明光源１１４を利用して読み込まれた画像データが、インターフェース８０１を通り、反射原稿用光源画像メモリ８０３に蓄積される。
【００３１】
更に、ステップＳ１１０２において、画像読取装置１００から透過原稿用照明光源１０６を利用して読み込まれた画像データが、インターフェース８０１を通り、透過原稿用光源画像メモリ８０２に蓄積される。
【００３２】
ステップＳ１１０３において、ゴミ・キズ検出処理部８０４は画像メモリ８０３に蓄えられた画像データからゴミ・キズ情報を検出し、検出したゴミ・キズ情報をゴミ・キズ補正処理部８０５へ送信する。ステップＳ１１０４において、ゴミ・キズ補正処理部８０５では、受信したゴミ・キズ情報を利用して画像メモリ８０２に蓄えられた画像データを補正する。
【００３３】
より具体的には、反射原稿光源画像メモリ８０３には図５に示すような画像データが格納されており、この画像データはゴミ・キズ領域の場所のみ、反射した光の輝度が記録されている。よって、ゴミ・キズ検出処理部８０４では記録された輝度情報を元にゴミ・キズ情報の検出を行うことが可能となる。この検出は、例えば、画像データを構成する各画素値を所定の閾置と比較し、閾置を越えた値を有する画素値をゴミ・キズを表す画素として検出することにより行うことができる。また、検出された画素の画像データ全体における位置を保持しておけば、ゴミ・キズの位置を容易に特定できる。
【００３４】
ゴミ・キズ補正処理部８０５は、検出されたゴミ・キズ情報を利用すれば、図７に示すようなゴミ・キズ情報も含めて取得された画像データに対し、ゴミ・キズの位置・大きさを特定して、その個所の画像データを他の場所の画像データから補間することで、ゴミ・キズが含まれない画像データを生成することができる。当該補間方法は、公知の技術ゆえ、ここでは詳細についての説明は省略する。
【００３５】
以上のゴミ・キズ補正処理により得られる画像データの一例は、図９に示すようになる。図９に示すように、ゴミ・キズ補正処理によれば、図５で示す位置に形成された図７に示す画像データ中のゴミ・キズが除去され、ゴミ・キズの無い画像データとして取得できる。
【００３６】
次に、本実施形態におけるゴミ・キズ除去処理の一例を、図１０に示すフローチャートを参照して説明する。この処理は、外部機器３１６及びシステムコントローラ３０５の制御により実行される。
【００３７】
まず、ステップＳ１００１において、反射原稿用照明１１４を点灯させる。ある種の冷陰極蛍光ランプでは、十分な輝度が得られるまで、多少の時間がかかるため、このステップにおいて、十分な輝度が得られるまで待機する。
【００３８】
ステップＳ１００２において、光学ユニット１１５を読み取るフィルム原稿１２０が置いてある、読取先端位置へ移動させる。
【００３９】
ステップＳ１００３において、反射原稿用照明１１４を用いて光学ユニット１１５に画像を読み取らせる。ステップＳ１００４において、光学ユニット１１５を所定の待機位置へ移動させておく。ステップＳ１００５において、反射原稿用照明光源１１４を消灯させる。ステップＳ１００６において、透過原稿用照明１０６を点灯させる。ある種の冷陰極蛍光ランプでは、十分な輝度が得られるまで、多少の時間がかかるため、このステップにおいて、十分な輝度が得られるまで待機する。
【００４０】
ステップＳ１００７において、光学ユニット１１５を読み取るフィルム原稿が置いてある、読取先端位置へ移動させる。ステップＳ１００８において、透過原稿用照明１０６を用いて光学ユニット１１５に画像を読み取らせる。ステップＳ１００９において、光学ユニット１１５を所定の待機位置へ移動させておく。ステップＳ１０１０において、透過原稿用照明光源１０６を消灯させる。ステップＳ１０１１において、ゴミ・キズ除去部８００にて読み取った画像データをもとにゴミ・キズ情報を検出する処理を行う。ステップＳ１０１２において、ゴミ・キズ除去部８００において更に、ステップＳ１０１１で得られたゴミ・キズ情報を元に、画像データを補正する。
【００４１】
なお、以上のシーケンスでは、最初に反射原稿用照明光源１１４を用いて、次に透過原稿用照明光源１０６を用いているが、この順序は重要でなく、最初に透過原稿用照明光源１０６を用いて、通常のフィルム原稿の画像読み取りを実行し、次に反射原稿用照明光源１１４を用いてフィルム原稿を照射し、フィルム原稿のゴミ・キズ情報の読み取りを実行してもよい。
【００４２】
以上のように、反射原稿用照明光源１１４を用いて、フィルム原稿を読み取ることでゴミ・キズ情報を検知することが可能となり、そのゴミ・キズ情報を元に反射原稿用照明光源１１４を用いてフィルム原稿を読み取った画像データを補間することで、ゴミ・キズ画像が含まれていない画像を得ることが可能となる。
【００４３】
［実施形態２］
上記に説明した画像読取装置１００の構成において反射原稿用照明１１４によりフィルム原稿１２０を照射した場合、フィルム原稿１２０を透過した光が透過原稿用照明１０６において乱反射し、この乱反射光が、再びフィルム原稿１２０を透過し、CCDイメージセンサ１０７に入射することにより、正確にゴミ・キズ情報を検知・除去することが困難な場合がある。
【００４４】
そこで、実施形態２では、乱反射光が発生した場合でも、ゴミ・キズ情報の検知・除去を可能とする。なお、本実施形態における画像読み取り装置１００の構成も、実施形態１と同様であるので、詳細な説明は省略する。
【００４５】
図１２は、フィルム原稿を読み取る際、反射原稿用照明光源１１４を点灯させて、CCDイメージセンサ１０７によって画像データとして取得する場合の一例を示している。図１２（ａ）は、光学ユニット１１５の光源１１４がゴミ・キズ４０１を照射する位置にない場合の読み取り動作を説明するための図であり、図１２（ｂ）は、光学ユニット１１５の光源１１４がゴミ・キズ４を照射する位置にある場合の読み取り動作を説明するための図である。
【００４６】
図１２（ａ）において、反射原稿用照明光源１１４から放射された光は、フィルム原稿１２０上に入射するが、フィルム原稿１２０は光を透過する性質を有するため、放射された光はそのままフィルム原稿を透過し、CCDイメージセンサ１０７に入射しない。しかし、反射原稿用照明光源１１４から放射された光の一部は、フィルム原稿１２０を透過し、透過原稿用照明光源ユニット１０６などで乱反射を起こす。この乱反射を起こした光が、再びフィルム原稿１２０を透過し、CCDイメージセンサ１０７に入射する。図１２（ｂ）において、反射原稿用照明光源１１４から放射された光は、フィルム原稿１２０表面のゴミ・キズ４０１上で乱反射を起こす。この乱反射された光の一部が、CCDイメージセンサ１０７に入射する。
【００４７】
よって、フィルム原稿１２０に対し反射原稿用照明光源１１４を用いて画像データを読み取った場合に得られる画像データは、図１３に示すようになる。この画像データにはは、ゴミ・キズ情報だけでなく、乱反射光によりＣＣＤイメージセンサで取得されたフィルム原稿１２０の画像情報も含まれる。
【００４８】
これに対して、実施形態１と同様にして図６に対応する動作により、透過原稿用照明光源１０６を点灯させてフィルム原稿１２０の画像情報をCCDイメージセンサ１０７により取得した場合に得られる画像データは、図７のようになる。
【００４９】
このようにして得られた、画像データは、それぞれゴミ・キズ除去部の透過原稿光源画像メモリ８０２及び反射原稿光源画像メモリ８０３に格納される。
【００５０】
次に、図１４を参照して、本実施形態におけるゴミ・キズ情報の除去処理について説明する。図１４は、実施形態２におけるゴミ・キズ情報の除去処理を説明するための図である。
【００５１】
図１４において、（ａ）は、反射原稿光源画像メモリ８０３に保存されている画像データの１ライン分の画素値を示し、（ｂ）は透過原稿光源画像メモリ８０２に保存された画像データの１ライン分の画素値を示す。このグラフを比較すると、ゴミやキズの無いフィルム領域では、両者のデータともほぼ同じデータ分布を示すが、ゴミ・キズ領域では、お互いに反するデータ分布を示す。そこで、両者の差分を取ると（ｃ）のような結果が得られる。この結果を用いれば、１ライン毎のゴミ・キズ情報の位置及び大きさを検出することができる。
【００５２】
なお、図１４におけるグラフは、一例として示したものであり、ゴミ・キズ位置以外のフィルム領域において取得される画素値の大きさは、必ずしも（ａ）、（ｂ）との間で一致するとは限らない。しかしながら、ゴミ・キズ位置における（ａ）と（ｂ）とのグラフにおける値の出方が明らかに異なり、両者の差分をとった場合には、他の領域の差分値よりも遙かに大きな値が検出されるので、ゴミ・キズ領域と他の領域とを容易に区別することが可能となる。
【００５３】
以上のようにして、図７の画像に対し、ゴミ・キズ情報からゴミ・キズの位置・大きさが特定できるため、その個所の画像データを他の場所の画像データから補間することで、ゴミ・キズが含まれない画像データを得ることができる。
【００５４】
以上のように、本実施形態では、反射原稿用照明１１４によりフィルム原稿１２０を照射した場合、透過原稿用照明１０６において乱反射が発生した場合であっても、反射原稿用照明１１４を利用した場合に得られる画像データと、透過原稿用照明１０６を利用した場合に得られる画像データとの差分により、フィルム原稿１２０上のゴミ・キズ情報を検知・除去すること可能となり、ゴミ・キズ画像が含まれていない画像を得ることが可能となる。
【００５５】
［その他の実施形態］
本発明の目的は、前記した実施形態の機能を実現するソフトウェアのプログラムコードを記録した記憶媒体、または記録媒体が、システム、または装置に付随し、そのシステム、または装置のコンピュータ（処理演算装置を含む）が記憶媒体、または記録媒体に記録されたソフトウェアのプログラムコードを読み出し、実行することによっても達成される。この場合、記憶媒体、または記憶媒体から読み出されたソフトウェアのプログラムコードが前記した実施形態の機能を実現することになる。そして、そのソフトウェアのプログラムコードを記録された記憶媒体、または記録媒体は、本発明を構成する。
また、システム、または装置のコンピュータが読み出したソフトウェアのプログラムコードを実行することにより、前記した実施形態の機能が実現するだけでなく、そのソフトウェアのプログラムコードの内容にもとづき、コンピュータ上で稼動しているオペレーションシステムが実際の処理の一部、または全部を担い、その処理によって前記した実施形態の機能が実現することになる。
記憶媒体、または記録媒体から読み出されたソフトウェアのプログラムコードが、システム、または装置のコンピュータに付随する機能を拡張するためのハードウェアに備わる記憶媒体、または記録媒体に移された後、そのソフトウェアのプログラムコードの内容にもとづき、システム、または装置のコンピュータに付随する機能を拡張するためのハードウェアに備わる処理演算装置などが、実際の処理の一部、または全部を担い、その処理によって前記した実施形態の機能が実現することになる。
【図面の簡単な説明】
【００５６】
【図１】本発明の実施形態に対応する、画像読取装置の構成の一例を示す図である。
【図２】従来の画像読取装置の構成の一例を示す図である。
【図３】本発明の実施形態に対応する、画像読取装置１００のハードウェア構成の一例を示す図である。
【図４】本発明の実施形態１に対応する、反射原稿用照明光源１１４を用いた場合のフィルム原稿１２０の読み取りについて説明するための図である。
【図５】本発明の実施形態１に対応する、フィルム原稿１２０を反射原稿用照明光源１１４で読み取った場合に得られる画像データの一例を示す図である。
【図６】本発明の実施形態に対応する、透過原稿用照明光源１０６を用いた場合のフィルム原稿１２０の読み取りについて説明するための図である。
【図７】本発明の実施形態に対応する、フィルム原稿１２０を反射原稿用照明光源１１４で読み取った場合に得られる画像データの一例を示す図である。
【図８】本発明の実施形態に対応する、ゴミ・キズ除去部８００の構成の一例を示す図である。
【図９】本発明の実施形態に対応する、フィルム原稿１２０を透過原稿用照明光源１０６で読み取った時の画像データからゴミ・キズを除去して得られる画像データの一例を示す図である。
【図１０】本発明の実施形態に対応する、画像読取装置１００における処理の一例に対応するフローチャートである。
【図１１】本発明の実施形態に対応する、ゴミ・キズ除去処理の一例に対応するフローチャートである。
【図１２】本発明の実施形態２に対応する、反射原稿用照明光源１１４を用いた場合のフィルム原稿１２０の読み取りについて説明するための図である。
【図１３】本発明の実施形態２に対応する、フィルム原稿１２０を反射原稿用照明光源１１４で読み取った場合に得られる画像データの一例を示す図である。
【図１４】本発明の実施形態２に対応する、反射原稿用照明光源１１４と透過原稿用照明光源１０６を用いて得られた画像データのグラフである。
【図１】
2005196274.tif 000003
【図２】
2005196274.tif 000004
【図３】
2005196274.tif 000005
【図４】
2005196274.tif 000006
【図５】
2005196274.tif 000007
【図６】
2005196274.tif 000008
【図７】
2005196274.tif 000009
【図８】
2005196274.tif 000010
【図９】
2005196274.tif 000011
【図１０】
2005196274.tif 000012
【図１１】
2005196274.tif 000013
【図１２】
2005196274.tif 000014
【図１３】
2005196274.tif 000015
【図１４】
2005196274.tif 000016
【手続補正書】
【提出日】平成16年2月3日(2004.2.3)
【手続補正１】
【補正対象書類名】特許請求の範囲
【補正対象項目名】全文
【補正方法】変更
【補正の内容】
【特許請求の範囲】
【請求項１】
透過原稿と反射原稿の両方を読み取り可能な画像読取装置であって、
原稿に対して第１の側に位置し、前記透過原稿を照射する第１の光源と、
前記原稿に対して前記第１の側とは逆の第２の側に位置し、前記反射原稿又は前記透過原稿を照射する第２の光源と、
前記第１の光源から照射され前記透過原稿を透過した光、及び、前記第２の光源から照射され前記反射原稿又は前記透過原稿で反射した光を受光し、電子的な画像データを取得するイメージセンサと、
前記第２の光源により照射され前記透過原稿で反射した光に基づいて前記イメージセンサにより取得された画像データから、前記原稿上に形成された非画像情報を検出する検出手段と、
前記検出手段により検出された前記非画像情報に基づいて、前記第１の光源により照射され前記透過原稿を透過した光に基づいて前記イメージセンサにより取得された画像データを補正する補正手段と
を備えることを特徴とする画像読取装置。
【請求項２】
前記非画像情報は、前記透過原稿に付着したゴミ又はキズの位置及び大きさに関する情報であることを特徴とする請求項１に記載の画像読取装置。
【請求項３】
前記検出手段は、前記透過原稿で反射した光に基づいて前記イメージセンサにより取得された画像データと、前記透過原稿を透過した光に基づいて前記イメージセンサにより取得された画像データとの差分に基づいて、前記原稿上に形成された非画像情報を検出することを特徴とする請求項１又は２に記載の画像読取装置。
【請求項４】
前記透過原稿はフィルム原稿を含み、前記反射原稿は書類原稿を含むことを特徴とする請求項１乃至３のいずれかに記載の画像読取装置。
【請求項５】
透過原稿と反射原稿の両方を読み取り可能な画像読取装置であって、
原稿に対して第１の側に位置し、前記透過原稿を照射する第１の光源と、
前記原稿に対して前記第１の側とは逆の第２の側に位置し、前記反射原稿又は前記透過原稿を照射する第２の光源と、
前記第１の光源から照射され前記透過原稿を透過した光、及び、前記第２の光源から照射され前記反射原稿又は前記透過原稿で反射した光を受光し、電子的な画像データを取得するイメージセンサとを有する画像読取装置と、
前記第２の光源により照射され前記透過原稿で反射した光に基づいて前記イメージセンサにより取得された画像データから、前記原稿上に形成された非画像情報を検出する検出手段と、
前記検出手段により検出された非画像情報に基づいて、前記第１の光源により照射され前記透過原稿を透過した光に基づいて前記イメージセンサにより取得された画像データを補正する補正手段とを有する画像処理装置と
を備えることを特徴とする画像処理システム。
【請求項６】
前記非画像情報は、前記原稿に付着したゴミ又はキズの位置及び大きさに関する情報であることを特徴とする請求項５に記載の画像処理システム。
【請求項７】
前記検出手段は、前記透過原稿で反射した光に基づいて前記イメージセンサにより取得された画像データと、前記透過原稿を透過した光に基づいて前記イメージセンサにより取得された画像データとの差分に基づいて、前記原稿上に形成された非画像情報を検出することを特徴とする請求項５又は６に記載の画像処理システム。
【請求項８】
前記透過原稿はフィルム原稿を含み、前記反射原稿は書類原稿を含むことを特徴とする請求項５乃至７に記載の画像処理システム。
【請求項９】
透過原稿と反射原稿の両方を読み取り可能な画像処理方法であって、
原稿に対して第１の側に位置し、前記透過原稿を照射する第１の光源から光を照射する第１の照射工程と、
前記原稿に対して前記第１の側とは逆の第２の側に位置し、前記反射原稿又は前記透過原稿を照射する第２の光源から光を照射する第２の照射工程と、
前記第１の照射工程において前記第１の光源から照射され前記透過原稿を透過した光、及び、前記第２の照射工程において前記第２の光源から照射され前記反射原稿又は前記透過原稿で反射した光を受光し、電子的な画像データを取得するデータ取得工程と、
前記第２の光源により照射され前記透過原稿で反射した光に基づいて前記データ取得工程において取得された画像データから、前記原稿上に形成された非画像情報を検出する検出工程と、
前記検出工程において検出された前記非画像情報に基づいて、前記第１の光源により照射され前記透過原稿を透過した光に基づいて前記データ取得工程において取得された画像データを補正する補正工程と
を備えることを特徴とする画像処理方法。
【請求項１０】
前記非画像情報は、前記原稿に付着したゴミ又はキズの位置及び大きさに関する情報であることを特徴とする請求項９に記載の画像処理方法。
【請求項１１】
前記検出工程では、前記透過原稿で反射した光に基づいて前記データ取得工程において取得された画像データと、前記透過原稿を透過した光に基づいて前記データ取得工程において取得された画像データとの差分に基づいて、前記原稿上に形成された非画像情報が検出されることを特徴とする請求項９又は１０に記載の画像処理方法。
【請求項１２】
前記透過原稿はフィルム原稿を含み、前記反射原稿は書類原稿を含むことを特徴とする請求項９乃至１１に記載の画像処理方法。
【請求項１３】
請求項９乃至請求項１２のいずれかに記載の画像処理方法をコンピュータに実行させるための画像処理プログラム。
【請求項１４】
請求項１３に記載の画像処理プログラムを格納したコンピュータで読取可能な記録媒体。
【手続補正２】
【補正対象書類名】明細書
【補正対象項目名】０００９
【補正方法】変更
【補正の内容】
【０００９】
上記課題を解決するための請求項１に記載の画像読取装置によれば、透過原稿と反射原稿の両方を読み取り可能な画像読取装置であって、原稿に対して第１の側に位置し、前記透過原稿を照射する第１の光源と、前記原稿に対して前記第１の側とは逆の第２の側に位置し、前記反射原稿又は前記透過原稿を照射する第２の光源と、前記第１の光源から照射され前記透過原稿を透過した光、及び、前記第２の光源から照射され前記反射原稿又は前記透過原稿で反射した光を受光し、電子的な画像データを取得するイメージセンサと、前記第２の光源により照射され前記透過原稿で反射した光に基づいて前記イメージセンサにより取得された画像データから、前記原稿上に形成された非画像情報を検出する検出手段と、前記検出手段により検出された前記非画像情報に基づいて、前記第１の光源により照射され前記透過原稿を透過した光に基づいて前記イメージセンサにより取得された画像データを補正する補正手段とを備えることを特徴とする。
【手続補正３】
【補正対象書類名】明細書
【補正対象項目名】００１０
【補正方法】変更
【補正の内容】
【００１０】
また、請求項５に記載の画像処理システムによれば、透過原稿と反射原稿の両方を読み取り可能な画像読取装置であって、原稿に対して第１の側に位置し、前記透過原稿を照射する第１の光源と、前記原稿に対して前記第１の側とは逆の第２の側に位置し、前記反射原稿又は前記透過原稿を照射する第２の光源と、前記第１の光源から照射され前記透過原稿を透過した光、及び、前記第２の光源から照射され前記反射原稿又は前記透過原稿で反射した光を受光し、電子的な画像データを取得するイメージセンサとを有する画像読取装置と、前記第２の光源により照射され前記透過原稿で反射した光に基づいて前記イメージセンサにより取得された画像データから、前記原稿上に形成された非画像情報を検出する検出手段と、前記検出手段により検出された非画像情報に基づいて、前記第１の光源により照射され前記透過原稿を透過した光に基づいて前記イメージセンサにより取得された画像データを補正する補正手段とを有する画像処理装置とを備えることを特徴とする。
【手続補正４】
【補正対象書類名】明細書
【補正対象項目名】００１１
【補正方法】変更
【補正の内容】
【００１１】
さらに、請求項９に記載の画像処理方法によれば、  透過原稿と反射原稿の両方を読み取り可能な画像処理方法であって、原稿に対して第１の側に位置し、前記透過原稿を照射する第１の光源から光を照射する第１の照射工程と、前記原稿に対して前記第１の側とは逆の第２の側に位置し、前記反射原稿又は前記透過原稿を照射する第２の光源から光を照射する第２の照射工程と、前記第１の照射工程において前記第１の光源から照射され前記透過原稿を透過した光、及び、前記第２の照射工程において前記第２の光源から照射され前記反射原稿又は前記透過原稿で反射した光を受光し、電子的な画像データを取得するデータ取得工程と、前記第２の光源により照射され前記透過原稿で反射した光に基づいて前記データ取得工程において取得された画像データから、前記原稿上に形成された非画像情報を検出する検出工程と、前記検出工程において検出された前記非画像情報に基づいて、前記第１の光源により照射され前記透過原稿を透過した光に基づいて前記データ取得工程において取得された画像データを補正する補正工程とを備えることを特徴とする。